(57)【要約】  システム１００は、撮像システム１０２及び専用画像レビューステーションコンピューティングシステム１０４を有する。撮像システムは、収集システム１１２、１１４及び再構成器１１６を有する。専用の画像レビューステーションコンピューティングシステムは、少なくとも１つの表示モニタ１２４、プロセッサ１２８、及び専用レビューステーション命令を備えたメモリ１３０を有する。通信チャネル１３６は、撮像システムと専用画像レビューコンピューティングシステムとの間にある。撮像システムは、取得システムにより取得されたデータを使用して再構成器により画像を再構成することに応じて、通信チャネルを通じて、画像を専用画像レビューコンピューティングシステムに自動送信し、専用画像レビューコンピューティングシステムは、少なくとも１つのビューポートに、撮像システムから受信した画像の組のうち選択された画像を個別に表示するように構成され、少なくとも１つのビューポートは、プロセッサによって実行される専用レビューステーション命令により生成され、少なくとも１つの表示モニタに表示される。
2020516404.tif 000002
【特許請求の範囲】
【請求項１】
取得システム及び再構成器、を有する撮像システムと、
少なくとも１つの表示モニタ、プロセッサ、及び専用レビューステーション命令を備えるメモリ、を有する専用の画像レビューステーションコンピューティングシステムと、
前記撮像システムと前記専用の画像レビューコンピューティングシステムとの間の通信チャネルと、
を有するシステムであって、
前記撮像システムは、前記取得システムにより取得されたデータを用いて前記再構成器により画像を再構成することに応じて、通信チャネルを介して、前記専用の画像レビューコンピューティングシステムに、前記画像を自動的に送信するように構成され、前記専用の画像レビューコンピューティングシステムは、少なくとも１つのビューポートに、前記撮像システムから受信される前記画像の組のうち選択された画像を個別に表示するように構成され、前記選択された画像は、前記プロセッサによって実行される前記専用のレビューステーション命令により生成され、少なくとも１つの表示モニタに表示される、システム。
【請求項２】
前記少なくとも１つのビューポートが、少なくとも２つのビューポートを含み、前記少なくとも１つの表示モニタが、前記少なくとも２つのビューポートを表示する単一の表示モニタであり、各ビューポートは、前記受信された画像の組のうち或る画像をそれぞれ独立に表示する、請求項１に記載のシステム。
【請求項３】
前記少なくとも１つのビューポートは、少なくとも２つのビューポートを含み、前記少なくとも１つの表示モニタは、複数の表示モニタを有し、各表示モニタは、前記少なくとも２つのビューポートのうち少なくとも１つのビューポートを表示し、各ビューポートは、前記受信された画像の組のうち或る画像を個別に表示する、請求項１に記載のシステム。
【請求項４】
前記少なくとも１つのビューポートは、少なくとも２つのビューポートを有し、前記少なくとも１つの表示モニタは、複数の表示モニタを有し、前記少なくとも１つの表示モニタが、複数のビューポートを表示し、各ビューポートは、前記受信された画像の組のうち或る画像を独立に表示する、請求項１に記載のシステム。
【請求項５】
各ビューポートは、当該ビューポート内の画像にのみ作用するそれ自身の視覚化ツールセットを有する、請求項２乃至４のいずれか１項に記載のシステム。
【請求項６】
前記専用の画像レビューコンピューティングシステムは更に、各々が単一のビューポートに関して作動する複数のポインティングデバイスを有する、請求項２乃至５のいずれか１項に記載のシステム。
【請求項７】
前記専用の画像レビューコンピューティングシステムは更に、複数のポインティングデバイスを有し、前記複数のポインティングデバイスのうち少なくとも１つのポインティングデバイスは、複数のビューポートに関して作動する、請求項２乃至５のいずれか１項に記載のシステム。
【請求項８】
前記通信チャネルはネットワークを有し、前記撮像システムはコンソールを有し、前記コンソール及び前記専用画像レビューコンピューティングシステムは、前記ネットワークと通信し、前記コンソールは、前記ネットワークを介して画像を前記専用の画像レビューコンピューティングシステムに自動的に転送する、請求項１乃至７のいずれか１項に記載のシステム。
【請求項９】
前記撮像システムがコンソールを有し、前記通信チャネルが、前記コンソールと前記専用画像レビューコンピューティングシステムとの間の専用接続を有し、前記コンソールが、前記専用接続を通じて、前記専用の画像レビューコンピューティングシステムに画像を自動的に転送する、請求項１乃至７のいずれか１項に記載のシステム。
【請求項１０】
前記コンソールは、前記ネットワークを通じて、ＤＩＣＯＭファイル形式でフォーマットされた画像を転送する、請求項８又は９に記載のシステム。
【請求項１１】
前記システムが更に、前記再構成器と前記専用の画像レビューコンピューティングシステムとの間に直接接続を有し、前記再構成器が、前記直接接続を介して、前記専用の画像レビューコンピューティングシステムに直接に画像を自動転送する、請求項１乃至７のいずれか１項に記載のシステム。
【請求項１２】
前記再構成器は、前記直接接続を介して、非ＤＩＣＯＭファイル形式で画像を転送する、請求項１１に記載のシステム。
【請求項１３】
前記専用の画像レビューコンピューティングシステムが、受信した画像をポータブル装置に転送する、請求項１に記載のシステム。
【請求項１４】
前記専用の画像レビューコンピューティングシステムは更に、生理学的感知デバイスに対する少なくとも１つのデバイスインタフェースを有し、前記専用の画像レビューコンピューティングシステムは、前記少なくとも１つのデバイスインタフェースを通じて受信した生理学的値を表示する、請求項１に記載のシステム。
【請求項１５】
コンピュータ可読読命令で符号化されたコンピュータ可読記憶媒体であって、前記コンピュータ可読命令は、それがコンピューティングシステムのプロセッサ上で実行されるとき、プロセッサに、
撮像システムによって生成された画像の組を、専用レビューステーションによって受信するステップであって、前記組の各画像は、再構成されることに応じて、自動的に送信される、ステップと、
前記組のうち選択された画像を、少なくとも１つのビューポートに表示するステップと、
を実行させる、コンピュータ可読記憶媒体。
【請求項１６】
前記少なくとも１つのビューポートは、同じ表示モニタの同じグラフィカルユーザインタフェースに、少なくとも２つのビューポートを有し、前記プロセッサが更に、前記少なくとも２つのビューポートのうち第１のビューポートに第１の選択された画像を、及び前記少なくとも２つのビューポートのうち第２のビューポートに第２の選択された画像を、同時に且つ個別に視覚化する、請求項１５に記載のコンピュータ可読記憶媒体。
【請求項１７】
前記少なくとも１つのビューポートは、少なくとも２つのビューポートを有し、各ビューポートは、それぞれ異なる表示モニタに表示され、第１の画像が、第１の表示モニタに表示される第１のビューポートに表示され、第２の画像が、第２の表示モニタに表示される第２のビューポートに表示される、請求項１５に記載のコンピュータ可読記憶媒体。
【請求項１８】
撮像システムにより生成された画像の組を、専用レビューステーションにおいて受信するステップであって、前記組の各画像が、再構成されることに応じて自動送信される、ステップと、
前記組のうち選択された画像を、少なくとも１つのビューポートに表示するステップと、
を有する方法。
【請求項１９】
前記少なくとも１つのビューポートは、同じ表示モニタの同じグラフィカルユーザインタフェースに少なくとも２つのビューポートを有し、前記方法が更に、前記少なくとも２つのビューポートのうち第１のビューポートに第１の選択された画像を、及び前記少なくとも２つのビューポートのうち第２のビューポートに第２の選択された画像を、独立に且つ同時に視覚化するステップを有する、請求項１８に記載の方法。
【請求項２０】
前記少なくとも１つのビューポートは、少なくとも２つのビューポートを有し、各ビューポートは、それぞれ異なる表示モニタに表示され、第１の画像が、第１の表示モニタに表示される第１のビューポートに表示され、第２の画像が、第２の表示モニタに表示される第２のビューポートに表示される、請求項１８に記載の方法。
【発明の詳細な説明】
【技術分野】
【０００１】
本発明は、一般に、イメージングに関し、より具体的には、例えば外傷／救急及び／又は他の状況のリアルタイム画像診断プレビューに関し、コンピュータトモグラフィ（ＣＴ）への特定の応用と共に記述されるが、磁気共鳴イメージング（ＭＲＩ）、デジタルＸ線のような他の撮像モダリティにも適用できる。
【背景技術】
【０００２】
ＣＴスキャナは、外傷、脳卒中、循環器救急などのさまざまな救急事態の状況における主要な撮像モダリティとして使用されている。このような状況では、取得した画像の主要な診断読影を実施する時間は、重要になり、多くの場合に救命ファクタになりうる。これは、理想的には、画像がＣＴスキャナにより生成されるとすぐに医療従事者が当該画像をレビューすることができることを意味する。これらの医療従事者は、放射線科医、神経科医、麻酔科医、整形外科医などを含む。これらの医療従事者は、通常、患者に付き添っており、ＣＴ室内に滞在しうる。一般に、診断読影を実施するための少なくとも２つのアプローチがある。
【発明の概要】
【発明が解決しようとする課題】
【０００３】
第１のアプローチは、通常の非救急画像の読影と同様である。このアプローチでは、ＣＴスキャンが実行され、結果的に得られる画像が、画像保管通信システム（ＰＡＣＳ）に送信され、診断表示コンピューティングシステム上でレビューされる。一般に、ＣＴスキャナ及びＰＡＣＳは、同じネットワーク上にあり、両方とも画像ファイルの保存、送信などのためにＤＩＣＯＭ（digital imaging and communications in medicine）標準を使用する。一般に、ＤＩＣＯＭ標準は、ファイル形式、及び伝送制御プロトコル／インターネットプロトコル（ＴＣＰ／ＩＰ）を使用するネットワーク通信プロトコルを含む。第２のアプローチは、画像が再構成され表示されるときに、ＣＴスキャナコンソールからの画像を直接に読影することを含む。
【０００４】
第１のアプローチの場合、残念ながら、画像をＰＡＣＳに転送するのにかなりの時間がかかり、その時間は、施設のネットワーク負荷に依存する。ＰＡＣＳレビューステーションは、多くの場合、ＣＴ室から遠く離れた場所にあるため、スキャニングチームと読影チームとの間のコミュニケーションの追加的な努力／アクティビティが必要である。第２のアプローチの場合は、残念ながら、ＣＴコンソールで画像を見る必要性は、追加のスキャンの計画、異なる再構成の実施、画像の保存、画質のチェックなど、同じコンソール上での他のスキャンアクティビティを実行する必要性と競合する。付加的に、それぞれ異なる医師が、個々の異なる解剖学的構造を視覚化し、及び／又は個々の異なる視覚化アルゴリズムを利用することを望む場合がある。従って、別のアプローチに対する解決されていないニーズがある。
【０００５】
本明細書に記載の態様は、上述した問題及び他の問題に対処する。
【課題を解決するための手段】
【０００６】
１つの態様において、システムは、撮像システムと専用の画像レビューステーションコンピューティングシステムとを有する。撮像システムは、取得システム及び再構成器を有する。専用の画像レビューステーションコンピューティングシステムは、少なくとも１つの表示モニタと、プロセッサと、専用のレビューステーション命令を有するメモリと、を有する。通信チャネルが、撮像システムと画像レビューコンピュータシステムとの間にある。撮像システムは、取得システムによって取得されたデータを用いて再構成器によって画像を再構成することに応答して、通信チャネルを介して、画像を専用の画像レビューコンピューティングシステムに自動送信し、専用の画像レビューコンピューティングシステムは、撮像システムからそれぞれ受信した画像の組のうち選択された画像を少なくとも１つのビューポートに独立に表示するように構成され、少なくとも１つのビューポートは、画像プロセッサによって実行される専用レビューステーション命令によって生成され、少なくとも１つの表示モニタに表示される。
【０００７】
別の態様において、コンピュータ可読記憶媒体は、コンピューティングシステムのコンピュータプロセッサによって実行されるとき、コンピュータプロセッサに、撮像システムによって生成された画像の組を、専用レビューステーションにより受信する処理であって、組の各画像が、再構成されることに応じて自動送信される、処理と、少なくとも１つのビューポートに、画像の組のうち選択された画像を表示する処理と、の各処理を実行させるコンピュータ可読命令でエンコードされる。
【０００８】
別の態様では、方法は、専用レビューステーションにおいて、撮像システムによって生成された画像の組を受信することを含む。組の各画像は、再構成されることに応じて自動送信される。この方法は更に、少なくとも１つのビューポートに、画像の組のうち選択された画像を表示することを含む。
【０００９】
当業者は、添付の説明を読み理解することにより、本願の更に別の態様を認識する。
【００１０】
本発明は、さまざまな構成要素及び構成要素の取り合わせ、並びにさまざまなステップ及びステップの取り合わせの形をとることができる。図面は、好適な実施形態を例示する目的のためだけにあり、本発明を制限するものとして解釈されるべきではない。
【図面の簡単な説明】
【００１１】
【図１】撮像システムと、専用レビューステーション命令を有するコンピューティングシステムと、を具備するシステムの例を概略的に示す図。
【図２】専用レビューステーション命令の一例を概略的に示す図。
【図３】複数の独立したビューポートを備えた単一の表示モニタと、複数のポインティングデバイスと、を有する専用レビューステーションの例を概略的に示す。
【図４】それぞれが独立したビューポートを有する複数の表示モニタを備えた専用レビューステーションの例を概略的に示す図。
【図５】システムのコンポーネントの配置を概略的に示す図。
【図６】システムのコンポーネントの別の配置を概略的に示す図。
【図７】システムのコンポーネントの更に別の配置を概略的に示す図。
【図８】撮像システムと専用レビューステーションとの間の通信チャネルを概略的に示す図。
【図９】撮像システムと専用レビューステーションとの間の別の通信チャネルを概略的に示す図。
【図１０】撮像システムと専用レビューステーションとの間の更に別の通信チャネルを概略的に示す図。
【図１１】ポータブル装置と通信する専用レビューステーションを概略的に示す図。
【図１２】バイタルサイン決定装置への装置インタフェースを備えた専用レビューステーション命令を概略的に示す図。
【図１３】本願明細書における一実施形態による例示的な方法を示す図。
【発明を実施するための形態】
【００１２】
図１は、ＣＴスキャナのような撮像システム１０２と、少なくとも専用レビューステーションとして構成され、本明細書では専用レビューステーション（ＤＲＳ）及び専用レビューステーションコンピューティングシステムとも呼ばれるコンピューティングシステム１０４と、を有するシステム１００を概略的に示す。
【００１３】
撮像システム１０２は、概して静止したガントリ１０６と、静止ガントリ１０６によって回転可能に支持され、ｚ軸を中心に検査領域１１０の周りを回転する回転ガントリ１０８と、を有する。Ｘ線管のような放射線源１１２は、回転ガントリ１０６によって回転可能に支持され、回転ガントリ１０６と共に回転し、検査領域１０８を横切る放射線を放出する。放射線感受性検出器アレイ１１４は、検査領域１１０をはさんで放射線源１１２と反対側で円弧をなす。放射線感受性検出器アレイ１１４は、検査領域１１０を横断する放射線を検出し、検出された各光子ごとに、それを示す信号を生成する。
【００１４】
再構成器１１６は、投影データを再構成し、検査領域１１０内に位置する被験者又は物体の走査された部分を示すボリュメトリック画像データを生成する。汎用コンピューティングシステム１０４又はコンピュータが、オペレータコンソールとして機能する。コンソール１１８は、モニタのような人間可読の出力装置、及びキーボード、マウス等の入力装置を有する。コンソール１１８に常駐するソフトウェアは、オペレータが、グラフィカルユーザインタフェース（ＧＵＩ）等を通じて、スキャナ１００と対話する及び／又はスキャナ１００を操作することを可能にする。寝台のような被験者支持体１２０は、スキャン前、スキャン中、及び／又はスキャン後に、検査領域１１０において物体又は被験者を支持する。
【００１５】
専用レビューステーション１０４は、通信インタフェース１２２と、表示モニタ１２４等の人間可読の出力装置と、キーボード、マウス、タッチスクリーン等の入力装置１２６とを有する。専用レビューステーション１０４は更に、１又は複数のコンピュータプロセッサ１２８（例えば、中央処理ユニット又はＣＰＵ、マイクロプロセッサなど）、一時的媒体を除く物理メモリ、メモリデバイスのようなコンピュータ可読記憶媒体１３０、及び／又は他の非一時的記憶媒体を有する。コンピュータ可読記憶媒体１３０は、１又は複数のコンピュータ可読命令１３２を有する。１又は複数のコンピュータプロセッサ１２８は、１又は複数のコンピュータ可読命令１３２、及び／又は搬送波、信号及び／又は他の一時的な媒体によって担持される命令のうち少なくとも１つを実行するように構成される。
【００１６】
図示されるコンピュータ可読命令１３２は、少なくとも１つの専用レビューステーション命令１３４を有する。実行時、専用レビューステーション１０４は、専用レビューステーション１０４と呼ばれる。簡潔に図２を参照すると、一例において、専用レビューステーション命令１３４は、グラフィカルユーザインタフェース命令２０２、ビューポート命令２０４、及び視覚化命令２０６を有する。以下に一層詳しく記述されるように、グラフィカルユーザインタフェース命令２０２は、単一の表示モニタ１２４内のグラフィカルユーザインタフェース（ＧＵＩ）又は複数の異なる表示モニタ１２４内の異なるＧＵＩをレンダリングするように構成され、ビューポート命令２０４は、各ＧＵＩの単一のビューポート又は各ＧＵＩの複数のビューポートをレンダリングするように構成され、視覚化命令２０６は、各ビューポートごとに視覚化ツール（例えば、アルゴリズム）を提供するように構成される。
【００１７】
図１及び図２を参照して、スキャン中に撮像システム１０２がデータを取得し、ボリュメトリック画像データを生成すると、専用レビューステーション１０４は、撮像システム１０２（及び／又は他の撮像システム）からボリュメトリック画像データを自動的に受信する。このデータは、少なくともデータが生成されるとすぐに転送されて利用可能になるので、「リアルタイム」データと呼ばれる。以下に一層詳しく記述されるように、リアルタイムデータは、ＰＡＣＳなどの中間システムの必要なく及び／又はソフトウェアアプリケーションの実行、画像ファイルの選択の必要なしに、ヘルスケア施設／イメージングセンターネットワーク及び／又は他のコンピューターネットワーク、及び／又はそれらの間の専用及び／又は直接の接続を含み得ることを含むチャネル１３６を介して、自動的に転送されることができる。システム１００は、画像のすべて又はそれより少ない画像を転送するように事前に構成されることができる。
【００１８】
一例において、専用レビューステーション１０４は、受信した画像への即時のアクセスを提供する。本明細書で使用する場合、即時とは、専用レビューステーション１０４が画像を受信するとすぐに、ということをいう。例えば、スキャンされた一連の画像が、転送中の１０００個の画像を含む場合（再構成速度に応じて数十秒かかることがある）、ユーザは既に受信しているものの中のサブセットをスクロールし始めることができ、新しい画像が到着すると、スクロール操作はますます多くの画像をカバーする。付加的に又は代替として、専用レビューステーション１０４は、同時に且つ独立して、異なる医療従事者が、これらの画像から、同じ又は異なる解剖学的構造を視覚化（操作を含む）することを可能にする。これにより、複数の診断及び／又は決定が同時に行われることができる。更に、専用レビューステーション１０４での視覚化に関係なく、コンソール１１８が、患者を計画し及び／又はスキャンすることができるため、専用レビューステーション１０４はワークフローの中断を軽減する。
【００１９】
図３を参照すると、（コンピューティングシステムの）専用レビューステーション１０４の一例が概略的に示されている。この例では、専用レビューステーション１０４は、デスクトップ３０８として構成されるコンピュータ３００を有し、コンピュータ３００は、ワイヤレスキーボード３１０、単一の表示モニタ１２４、及び複数のポインティングデバイス１２６１、１２６２及び１２６３を有する。コンピュータ３００は、代替として、タワー、ワークステーション、ラップトップ、タブレット、及び／又は他のコンピュータであってもよい。複数のポインティングデバイスを支援するオペレーティングシステムの例は、米国ワシントン州に本社を置くマイクロソフト社の製品であるウィンドウズオペレーティングシステムである。付加的に又は代替として、専用レビューステーション１０４は、複数のポインティングデバイス１２６１、１２６２及び１２６３を支援する複数のデバイスドライバを有する。
【００２０】
専用レビューステーション命令１３４の実行により、プロセッサ１２８は、単一の表示モニタ１２４に単一のグラフィカルユーザインタフェース３０２を表示する。グラフィカルユーザインタフェース３０２は、各々が単一の画像３０６１、３０６２及び３０６３を表示するように構成される個別のビューポート３０４１、３０４２及び３０４３を有し、ビューポート３０４１、３０４２及び３０４３はそれぞれ、ワイヤレスマウスポインティングデバイス１２６１、１２６２及び１２６３により制御される。変形例において、ポインティングデバイス１２６１、１２６２及び１２６３の少なくとも１つは、有線接続されていてもよく、及び／又はトラックボール、タッチパッド、デジタルペン等の別のタイプのポインティングデバイスであってもよい。代替として、キーボードが、有線接続されることもできる。更に、他の実施形態においては、グラフィカルユーザインタフェース３０２は、より多くの又はより少ないビューポート（例えば、１つのみ、２つ、又は３つ以上）を有し、専用レビューステーション１０４は、より多くの又はより少ないポインティングデバイスである入力デバイス１２６を有する。
【００２１】
各ビューポート３０４１、３０４２及び３０４３は、視覚化命令２０６からの可視表示のそれら独自の組を有する。例えば、各ビューポートでは、受信した画像から選択した画像であって、別のビューポートに表示される画像と異なる画像又は同じ画像を個別に表示することができる。更に、各ビューポートは、別のビューポートとは関係なく設定できる以下の視覚化ツールの１又は複数を有する：画像スライスの厚さ、フィルタ（例：骨対軟部組織）、ＣＴ番号レンジ及び中心（ウィンドウ／レベル）、スライスの向き（例えば、体軸、冠状、矢状及び／又は傾斜断面）、レンダリング（例えば、３Ｄ（サーフェス、ボリュームなど）、４Ｄ、最大強度投影（ＭＩＰ）、最小強度投影、など）、コントラスト、輝度、色、セグメンテーション、ズーム、パン、回転、スクロール、その他。これらのアクションは、別のビューポートから独立しているだけでなく、他のビューポートでこれらのアクションを実行しながら同時に実施されることもできる。
【００２２】
一例において、ポインティングデバイス１２６１、１２６２及び１２６３の少なくとも１つは、ビューポート３０４１、３０４２及び３０４３の２以上において動作するように構成されることができる。この構成の場合、一例において、複数のポインティングデバイス１２６１、１２６２及び１２６３は、それぞれのビューポート３０４１、３０４２及び３０４３の各々において使用されることができる。例えば、ポインティングデバイス１２６１は、ビューポート３０４１及び３０４３において画像を開くために使用されることができ、ポインティングデバイス１２６２は、ビューポート３０４１及び３０４３の両方においてスライス厚を設定するために使用されることができ、ポインティングデバイス１２６３は更に、ビューポート３０４１、３０４２、３０４３のいずれかをポイントするために使用されることができる。変形例において、ポインティングデバイス１２６１、１２６２及び１２６３のそれぞれは、ビューポート３０４１、３０４２及び３０４３の１つについて専用である。図３は、ポインティングデバイス１２６１によって制御されるビューポート３０４１内の第１のポインタ３１２と、ポインティングデバイス１２６１によって制御されるビューポート３０４２内の第２の異なるポインタ３１４を示し、それらのポインティングデバイスは、同時に又は順次に使用されることができる。第１のポインタ３１２及び第２のポインタ３１４のサイズ及び形状は、説明のためのものであり、限定するものではないことを理解されたい。
【００２３】
図４は、図３に関連して説明された構成の変形例を概略的に示しており、表示モニタ１２４は、複数の表示モニタ１２４１、１２４２及び１２４３を有し、各表示モニタ１２４１、１２４２、及び１２４３は、それ自身のＧＵＩ３０２１、３０２２及び３０２３を有するとともに、ビューポート３０４１、３０４２、３０４３のうちそれ自身の１つのビューポートを有し、画像３０６１、３０６２、３０６３の１つを表示する。変形例において、専用レビューステーション１０４は、より多くの又はより少ないモニタ１２４を有する。別の変形例において、モニタ１２４１、１２４２及び１２４３の少なくとも１つは、図３及び図４に関して説明した構成を組み合わせた構成のような、複数のビューポートを備えたＧＵＩを有する。
【００２４】
ポインティングデバイス１２６１、１２６２及び１２６３のうちの少なくとも２つは、異なるユーザによってそれぞれ同時に又は順次に操作されることができる。これは、第１のユーザが、ポインティングデバイス１２６１、１２６２、１２６３の少なくとも２つのうちの一方を操作し、それと同時に、別のユーザが、ポインティングデバイス１２６１、１２６２、１２６３の前記少なくとも２つのうちの他方を操作することを含む。同時操作は、同じビューポート及び／又は異なるビューポートで行われることができる。別の例において、ポインティングデバイス１２６１、１２６２及び１２６３のうち１又は複数が、単一のユーザによって同時に又は順次に操作されることができる。これは、同じビューポート及び／又は異なるビューポートにおいてポインティングデバイス１２６１、１２６２及び１２６３の２以上を同時に操作することを含む。
【００２５】
図５は、専用レビューステーション１０４、再構成器１１６及びコンソール１１８が制御室５０２内に配置されている例を概略的に示しており、撮像システム１０２の残りの部分５０６（コンポーネント１０２−１１４）は、検査室５０４に配置されており、検査室５０４は、制御室５０２から隔てられた別の部屋である。この例では、検査室５０４は、患者がスキャンされる部屋であり、この部屋は、壁などに、放射線を吸収、遮断、減衰等して放射線が検査室５０４から出ることを軽減する材料を含む。部屋５０２及び５０４のサイズ及び形状は、例示を目的としており、限定するものではないことを理解されたい。一般に、部屋５０２及び５０４は、部屋の間に鉛ガラス及び／又は他の窓をはさんで隣り合う。
【００２６】
図６は、再構成器１１６及びコンソール１１８が制御室５０２内に配置され、撮像システム１０２の残りの部分５０６及び専用レビューステーション１０４が検査室５０４内に配置される変形例を概略的に示す。
【００２７】
図７は、再構成器１１６及びコンソール１１８が制御室５０２内に配置され、撮像システム１０２の残りの部分５０６が検査室５０４内に配置され、専用レビューステーション１０４が、制御室５０２及び検査室５０４から隔てられた別の部屋である別の又はビューイング室７０２内に配置される。図７では、ビューイング室７０２は、部屋５０２及び部屋５０４から離れている。変形例において、ビューイング室７０２は、部屋５０２及び５０４の１つ又は両方と壁を共有することができる。
【００２８】
図８、図９及び図１０は、撮像システム１０２及び専用レビューステーション１０４の間の通信チャネル１３６の例を概略的に示す。
【００２９】
図８では、コンソール１１８及び専用レビューステーション１０４が両方とも、放射線情報システム（ＲＩＳ）、病院情報システム（ＨＩＳ）の一部でありうる共通ネットワーク８０２に接続されている。共通ネットワーク８０２に接続されたＰＡＣＳ８０４も示されている。変形例において、ＰＡＣＳ８０４は省略される。この例においては、コンソール１１８及び専用レビューステーション１０４（及びＰＡＣＳ８０４）はすべて、ＤＩＣＯＭ標準を使用して画像を保存し、受信し、及び／又は転送するように構成される。更に、コンソール１１８及び専用レビューステーション１０４は、共通ネットワーク８０２を介して互いに通信する。画像が再構成器１１６によって生成されると、コンソール１１８は、共通ネットワーク８０２を通じて、ＤＩＣＯＭ標準を介して専用レビューステーション１０４に画像を自動転送する。
【００３０】
図９は、図８に関連して説明したシステムの変形例を概略的に示す。ここでも、コンソール１１８及びＰＡＣＳ８０４は、共通ネットワーク８０２に接続されている。この変形例において、コンソール１１８及び専用レビューステーション１０４は、それらの間の専用接続９０２を介して接続される。一例において、専用接続９０２は専用ネットワークケーブルであり、その間の通信は、ネットワーク８０２の帯域幅に関係しない。画像が再構成器１１６によって生成されると、コンソール１１８は、専用接続９０２を通じて、ＤＩＣＯＭ標準を介して専用レビューステーション１０４に画像を転送する。接続９０２は専用接続であるので、このアプローチは、図８に関連して説明したアプローチよりも速く画像ファイルを転送することができる。
【００３１】
図１０は、図８に関連して説明したシステムの別の変形例を概略的に示す。コンソール１１８及びＰＡＣＳ８０４は、同様に共通ネットワーク８０２に接続されている。この変形例では、再構成器１１６及び専用レビューステーション１０４は、それらの間の直接接続１００２を通じて接続される。再構成器１１６は、専用プロトコル及び／又は他のプロトコルなどの非ＤＩＣＯＭプロトコルを使用して、専用レビューステーション１０４に直接に画像を自動転送するように構成される。直接接続１００２は、有線及び／又は無線でありえ、データリンクは、ポイントツーポイント、イーサネットなどでありうる。画像は、ＤＩＣＯＭ形式へ及び／又はＤＩＣＯＭ形式から変換されないので、このアプローチは、図８及び図９に関連して説明した方法よりも速く画像ファイルを転送することができる。
【００３２】
図１１は、専用レビューステーション１０４がスマートフォン、ラップトップ、タブレットのようなポータブル装置１１０２とも通信する別の変形例を概略的に示している。一例において、専用レビューステーション１０４は、専用レビューステーション１０４に表示される画像のスクリーンコピーを、ポータブル装置１１０２に転送する。この場合、スクリーンコピーは、専用レビューステーション１０４に表示されるものを反映する。別の例において、専用レビューステーション１０４は、専用レビューステーション１０４を通じて、現在表示されている画像の同じ組を転送し、ポータブル装置１２０２は、本明細書で説明されるように及び／又は別の方法で、視覚化アルゴリズムによって提供される機能の少なくともサブセットを通じて、画像を表示し操作するアプリケーションを含む。付加的に又は代替として、画像は、コンソール１１８及び／又は再構成器１１６からのポータブル装置１１０２に直接転送される。
【００３３】
図１２は、専用レビューステーション１０４が更に、１又は複数のデバイスインタフェース１２０２１、・・・、１２０２Ｍを有する変形例を示す。ここで、Ｍは１に等しい又は１より大きい整数である。インタフェースの例は、血圧（ＢＰ）装置インタフェース、心電図（ＥＣＧ）インタフェース、パルスオキシメトリ（ＳＯ２）装置インタフェース、心拍数モニタ、及び／又はバイタルサインを測定し、検知し、及び／又は導出する他の装置のような少なくとも１つの生理学的検知装置を非限定的に含む。この変形例において、１又は複数の装置インタフェース１２０２１、・・・、１２０２Ｍを通じて１又は複数の対応する装置から受信されるデータ（例えば、バイタルサインを示す信号など）もまた、専用レビューステーション１０４を通じて表示される。
【００３４】
別の変形例において、専用レビューステーション１０４は、コンピュータ支援診断（ＣＡＤｘ）システム、コンピュータ支援検出（ＣＡＤｅ）、その他を有するコンピューティングシステムを有し、及び／又はそれらと通信する。一般に、ＣＡＤｘ及びＣＡＤｅシステムは、臨床医が医療画像を解釈するのを支援するように構成される。一例として、これは、顕著な構造及びセクションにマーキングすること、及び／又は顕著な構造を評価することを含む。
【００３５】
図１３は、本願明細書の一実施形態による例示的な方法を示す。
【００３６】
処理の順序は、限定的ではないことを理解されたい。従って、本願明細書において他の順序付けも企図される。加えて、１又は複数の処理が省略されることができ、及び／又は１又は複数の追加の処理が含められることができる。
【００３７】
１３０２において、物体又は被検体のスキャンが実行される。
【００３８】
１３０４において、取得されたデータから、ボリュメトリック画像データが生成される。
【００３９】
１３０６において、ボリュメトリック画像データの画像は、本明細書に説明されるように及び／又は別の方法で、それらが生成されると、専用レビューステーション１０４に自動的に転送される。
【００４０】
１３０８において、受信される画像は、本明細書で説明されるように及び／又は別の方法で、専用レビューステーション１０４によって、独立したビューポートに表示される。
【００４１】
１３１０において、表示される画像は、互いに独立に視覚化される。
【００４２】
上記は、コンピュータ可読記憶媒体上に符号化又は埋め込まれたコンピュータ可読命令によって実現されることができ、かかるコンピュータ可読命令は、コンピュータプロセッサによって実行されるとき、プロセッサに上述した処理を実行させる。付加的に又は代替として、コンピュータ可読命令の少なくとも１つは、信号、搬送波、又はコンピュータ可読記憶媒体ではない他の一時的媒体によって担持される。
【００４３】
本発明は、図面及び前述の説明において詳しく図示され記述されたが、このような図示及び説明は、説明的又は例示的であり、限定的なものではないと考えられるべきである。本発明は開示された実施形態に限定されない。開示される実施形態に対する他の変更は、図面、開示、及び添付の特許請求の範囲の検討から、請求項に記載の発明を実施する際に当業者によって理解され、達成されることができる。
【００４４】
請求項において、「含む、有する（comprising）」という語は、他の構成要素又はステップを除外せず、不定冠詞「a」又は「an」は複数性を除外しない。単一のプロセッサ又は他のユニットが、特許請求の範囲に記載されるいくつかのアイテムの機能を実現することもできる。特定の手段が相互に異なる従属請求項に記載されているという単なる事実は、これらの手段の組み合わせが有利に使用されることができないことを示すものではない。
【００４５】
コンピュータプログラムは、他のハードウェアと共に又はその一部として供給される光学記憶媒体又は固体媒体のような適切な媒体に記憶され／配布されることができるが、他の形式で、例えばインターネット又は他の有線若しくは無線の電気通信システムを介して、配布されることもできる。請求項中の如何なる参照符号も請求項の範囲を制限するものとして解釈されるべきでない。
【図１】
2020516404.tif 000003
【図２】
2020516404.tif 000004
【図３】
2020516404.tif 000005
【図４】
2020516404.tif 000006
【図５】
2020516404.tif 000007
【図６】
2020516404.tif 000008
【図７】
2020516404.tif 000009
【図８】
2020516404.tif 000010
【図９】
2020516404.tif 000011
【図１０】
2020516404.tif 000012
【図１１】
2020516404.tif 000013
【図１２】
2020516404.tif 000014
【図１３】
2020516404.tif 000015
【国際調査報告】
2020516404.tif 000016
2020516404.tif 000017
2020516404.tif 000018